(57)【要約】【課題】芝刈装置側と車体側シュータ側の個々のメンテナンス性を確保しつつ、芝刈作業における草詰まりの際等に、煩わしい個々の操作を要することなく、草詰まりを解消することができる乗用芝刈機の刈草案内装置を提供する。【解決手段】乗用芝刈機の刈草案内装置は、芝刈装置側シュータ３と車体側シュータ４とからなり、この車体側シュータ４の底辺の少なくとも一部の底板２５を開放可能に形成し、この底板２５の開放動作のための操作レバー６を設けて構成され、上記芝刈機側シュータ３の後端部底辺には、同シュータ３内の刈草を掬い上げながら後方へ案内する掬取部材１４を設けるとともに、この掬取部材１４には、その開放動作のための操作レバー５と、上記車体側シュータ４の底板２５の開放動作を受けて同掬取部材１４を開放動作させる連動部材７とを設ける。【選択図】      図２
2004329115.tif 000002
【特許請求の範囲】
【請求項１】
走行フレーム（Ｃ）下に懸装された芝刈装置（１）から刈草を後方へ排出する芝刈装置側シュータ（３）と、この芝刈装置側シュータ（３）から排出された刈草を走行車体側に引き継ぐ車体側シュータ（４）とからなり、この車体側シュータ（４）の底辺の少なくとも一部の底板（２５）を開放可能に形成し、この底板（２５）の開放動作のための操作レバー（６）を設けた乗用芝刈機の刈草案内装置において、
上記芝刈機側シュータ（３）の後端部底辺には、同シュータ（３）内の刈草を掬い上げながら後方へ案内する掬取部材（１４）を設けるとともに、この掬取部材（１４）には、その開放動作のための操作レバー（５）と、上記車体側シュータ（４）の底板（２５）の開放動作を受けて同掬取部材（１４）を開放動作させる連動部材（７）とを設けたことを特徴とする乗用芝刈機の刈草案内装置。
【請求項２】
前記連動部材（７）には、車体側シュータ（４）の底板（２５）の開放動作の閉止位置を含む所定範囲においては伝動を伝えないスライド式の融通機構（３２ａ）を介設し、この融通機構（３２ａ）の所定のスライド範囲を越える底板（２５）の開放動作を伝動しうるスライド終端を備えることを特徴とする請求項１記載の乗用芝刈機の刈草案内装置。
【請求項３】
前記掬取部材（１４）の操作レバー（５）および前記底板（２５）の操作レバー（６）は、車体の左右同側に配置したことを特徴とする請求項１記載の乗用芝刈機の刈草案内装置。
【発明の詳細な説明】
【０００１】
【発明の属する技術分野】
本発明は、走行フレーム下に着脱可能に懸装した芝刈装置からその後方に車体側シュータを介して刈草を送出するための乗用芝刈機の刈草案内装置に関し、特に、乗用芝刈機の芝刈装置側シュータと車体側シュータの個々のメンテナンス性を確保しつつ、芝刈作業における草詰まりの際等に、煩わしい個々の操作を要することなく、簡易な操作によって草詰まりを解消することができる乗用芝刈機の刈草案内装置に関する。
【０００２】
【従来の技術】
トラクタ等の走行フレーム下に着脱可能に懸装された芝刈装置の芝刈装置側シュータと、この芝刈装置側シュータから刈草片を機体後部に案内する車体側シュータとからなる乗用芝刈機の刈草案内装置において、芝刈装置側シュータの下辺位置で刈草片を掬い上げるように案内する掬取部材とこの掬取部材を開放する操作レバーとを設け、手動操作によって掬取部材を開閉可能に構成した例が、特許文献１のように知られている。上記掬取部材は、操作レバーを介して開放することにより芝刈装置側シュータに詰まった刈草を外部に排出することができる。また、走行フレーム側に取付けた車体側シュータについても、特許文献２（図５の開閉蓋７３）のように、車体側シュータの一部を開放する開閉蓋を設けることにより、車体側シュータに詰まった刈草を外部に排出することができる。これら芝刈装置側シュータの掬取部材や車体側シュータの開閉蓋により、個々の清掃メンテナンスを容易としている。
【特許文献１】
特開２０００−２８７５２０号公報
【特許文献２】
特開２０００−１０６７３３号公報
【０００３】
【発明が解決しようとする課題】
しかしながら、前記のように芝刈装置を車体に対して着脱可能に懸装する場合、特に連結部に作業時の草詰まりが発生し易く、この際は上記作業機側のシュータと、車体側のシュータをそれぞれ個別に開放して除草作業を行う手間を要するので、メンテナンス性に欠けるもので有った。
【０００４】
本発明の目的は、乗用芝刈機の芝刈装置側シュータと車体側シュータの個々のメンテナンス性を向上しつつ、芝刈作業における草詰まりの際等に、煩わしい個々の操作を要することなく、簡易な操作によって草詰まりを解消することができる乗用芝刈機の刈草案内装置を提供することにある。
【０００５】
【課題を解決するための手段】
上記課題を解決するために、請求項１に係る発明は、走行フレーム（Ｃ）下に懸装された芝刈装置（１）から刈草を後方へ排出する芝刈装置側シュータ（３）と、この芝刈装置側シュータ（３）から排出された刈草を走行車体側に引き継ぐ車体側シュータ（４）とからなり、この車体側シュータ（４）の底辺の少なくとも一部の底板（２５）を開放可能に形成し、この底板（２５）の開放動作のための操作レバー（６）を設けた乗用芝刈機の刈草案内装置において、上記芝刈機側シュータ（３）の後端部底辺には、同シュータ（３）内の刈草を掬い上げながら後方へ案内する掬取部材（１４）を設けるとともに、この掬取部材（１４）には、その開放動作のための操作レバー（５）と、上記車体側シュータ（４）の底板（２５）の開放動作を受けて同掬取部材（１４）を開放動作させる連動部材（７）とを設けたことを特徴とする。
【０００６】
上記芝刈装置で刈取られた刈草片は、芝刈機側シュータの掬取部材によって掬い上げられ車体側シュータに沿って後方に送出される。刈草片が芝刈機側シュータまたは車体側シュータに詰まったときは、操作レバーによって車体側シュータの底板を開放すると、連動部材を介して芝刈機側シュータの掬取部材も開放動作し、その結果、芝刈機側シュータや車体側シュータに詰まった刈草が外部に排出される。また、芝刈装置を走行フレームから取り外した際等は、それぞれの操作レバーにより開放動作することにより、個別に刈草が外部に排出される。
【０００７】
請求項２に係る発明は、前記連動部材（７）には、車体側シュータ（４）の底板（２５）の開放動作の閉止位置を含む所定範囲においては伝動を伝えないスライド式の融通機構（３２ａ）を介設し、この融通機構（３２ａ）の所定のスライド範囲を越える底板（２５）の開放動作を伝動しうるスライド終端を備えることを特徴とする。この刈草案内装置は、連動部材の所定のスライド範囲内では、底板の開放動作が掬取部材に伝動されることなく掬取部材がその位置に保持され、また、スライド終端の伝動作用により、所定範囲を越えて底板が開放動作すると掬取部材に開放動作が伝動されて共に開放動作し、その結果、底板の所定の開放動作範囲を除いて連動動作する。
【０００８】
請求項３に係る発明は、前記掬取部材（１４）の操作レバー（５）および前記底板（２５）の操作レバー（６）は、車体の左右同側に配置したことを特徴とする。上記刈草案内装置は、両操作レバーが刈草案内装置の草詰まり対応の操作系として集合的に配置される。
【０００９】
【発明の効果】
本発明の乗用芝刈機の刈草案内装置は以下の効果を奏する。
上記構成の乗用芝刈機の刈草案内装置は、車体側シュータの底板をその操作レバーによって開放すると、連動部材を介して芝刈装置側の掬取部材も開放動作することから、芝刈装置側シュータと車体側シュータに詰まったそれぞれの刈草が共に排出、即ち地上へ落下される。したがって、上記刈草案内装置は、芝刈装置側と走行フレーム側の個々のメンテナンス性を確保しつつ、芝刈作業における草詰まりの際等に、煩わしい個々の操作を要することなく、簡易な操作によって草詰まりを解消することができる。また、連動部材に障害が発生しても、開放手段としての操作レバーを個々に備えているので、草詰まりによる芝刈作業の中断等の事態を回避して、スケジュールを乱すことなく芝刈作業を進めることができる。
【００１０】
前記連動部材の融通機構により底板の所定範囲の開放動作が掬取部材に伝動されることなくそのまま閉止位置に保持するようにした場合は、芝刈装置の懸装高さに応じて車体側シュータの底板を変動保持するように構成したときに、ガイドワイヤ等のフレキシブルな連動部材を選択して底板の変動範囲を含むようにスライド範囲を設定することにより、芝刈装置を最高位置に上昇させても掬取部材を芝刈装置側シュータの基準位置に保持することができるので、芝刈装置の懸装高さに左右されることなく芝刈装置側シュータの送出性を確保しつつ、連動動作を確保することができる。
【００１１】
前記掬取部材と底板の両操作レバーを機体の同じ側に配置した場合は、刈草案内装置の草詰まり対応の操作系としてのまとまりにより、操作性を向上することができる。
【００１２】
【発明の実施の形態】
上記技術思想に基づき具体的に構成された実施の形態について以下に図面を参照しつつ説明する。
【００１３】
本発明の刈草案内装置の適用対象となる乗用芝刈機は、図１の全体側面図のように、前後輪Ａ，Ｂで支持されたトラクタ等の走行フレームＣの下方にフロントリンクＤと後部リンクＥとを介して芝刈装置１を着脱可能に配置し、この芝刈装置１は、その前側に延びるシャフト２を機体前部のＰＴＯ部Ｆと連結するとともに、その後端の芝刈装置側シュータ３を走行フレームＣに取付けた車体側シュータ４に嵌め込むように装着する。これら芝刈装置側シュータ３と車体側シュータ４とにより刈草案内装置を構成する。
【００１４】
刈草案内装置は、走行フレームＣの後端に取付けた図示せぬコレクタまで刈草を案内し、その行程において、芝刈装置１と車体側シュータ４のそれぞれに後述の開放手段とその操作レバー５，６、および、連動部材７を設けて構成する。
【００１５】
詳細に説明すると、刈草案内装置の透視拡大平面図および透視拡大側面図を図２、図３にそれぞれ示すように、芝刈装置１のデッキ１ａには、回転ブレード１１等の刈草機構を軸支するほか、刈草をデッキ１ａ中央からその後方に送出する芝刈装置側シュータ３を配置する。この芝刈装置側シュータ３は、２枚の案内側壁１２ａ、１２ａの後部を拡開してデッキ１ａに起立して構成し、その上辺部を画成する可動カバー１３と、下辺部で刈草を掬い上げるようにして後方に送り出す掬取部材１４とを備える。
【００１６】
芝刈装置側シュータ３の可動カバー１３は、２枚の案内側壁１２ａ、１２ａと接するように両袖部を垂下して形成し、その前端をデッキ１ａに軸支して後端側を高く傾斜配置し、その後端側を押し下げ可能にデッキ１ａ上に設けたばね１９を介して弾性支持する。
【００１７】
掬取部材１４は、回転ブレード１１の旋回領域に挟まれた隙間を埋めるように、平面視で富士嶺型に形成する。その上面には、末広の後部が次第に高くなるように均一な傾斜面１４ａを備えて排出草片の引っ掛かりを回避し、また、前面側を起立壁として刈草片が引っ掛からずに排出方向と持ち回り方向に分かれるように形成する。この掬取部材１４を起立位置まで開閉可能に支軸１５で軸支して芝刈装置側シュータ３の開放手段とする。操作レバー５には復帰ばね１６を備えてオペレータの右足元のデッキ１ａに支軸５ａを配置し、この操作レバー５の支軸５ａと掬取部材１４の支軸１５との間を中間リンク１７により連結する。掬取部材１４には、太い草片が粘り強く貼り付いて堆積し易いので、掬取部材１４を開放することにより、手を汚すことなく草片を容易に排出して草詰まりを防止し、連続して刈草作業を進めることができる。
【００１８】
また、掬取部材１４の下面を受けて位置決めする調節ボルトによるストッパ１８をデッキ１ａのクロス材１８ａに取付けることにより、操作レバー５の復帰ばね１６の作用を受けて掬取部材１４が基準位置に保持され、排草性を確保することができる。
【００１９】
車体側シュータ４は、芝刈装置側シュータ３の可動カバー１３を抱き込むように、天板４ａと２つの側壁４ｂ，４ｂとにより形成した案内部材であり、その底面を上下動作可能に画成する可動底２１をその後端の支軸２２によって前端側を押し下げ可能に側壁４ｂ，４ｂに設けたばね２８を介して弾性支持する。可動底２１は、シュータ本体部の２つの側壁４ｂ，４ｂに外接するように起立する２つの袖板２１ａ，２１ａを備え、この袖板２１ａには、側壁４ｂに突設したピン２３と嵌合して可動範囲を規制する長穴２１ｂを形成する。この２つの袖板２１ａ，２１ａには、ばね２８に抗して車体側シュータ４の入口側を拡開することにより芝刈装置１の着脱の１人作業を可能とするべく、長穴２１ｂによるストローク最下位に可動底２１をロックするためのつまみ兼用のリング状金具２４等による係止部材を取付ける。
【００２０】
また、可動底２１の２つの袖板２１ａ，２１ａにはそれぞれの下端から内方に受部２１ｃ、２１ｃを延出し、この受部２１ｃ、２１ｃの上面側に別体の底板２５を受ける。この底板２５は、その後端を支軸２２に取付けて跳ね上げるように開放可能に構成し、この支軸２２に中間リンク２７を介して開閉動作用の操作レバー６を連結する。この操作レバー６は、右手操作性を確保するべく、掬取部材１４の操作レバー５と同じ側のオペレータの右側に支軸６ａを配置する。
【００２１】
底板２５の前部には、芝刈装置側シュータ３の下端まで延出する前板２５ａを引張ばね２５ｂ，２５ｂにより中折れ式に備えることにより可動底２１の全長を車体側シュータ４の高さ寸法内で起立位置まで回動可能に構成する。可動底２１の受部２１ｃ、２１ｃは、前板２５ａの全長を受ける範囲に形成するとともに、両受部２１ｃ、２１ｃの間をその下面側で連結部材２６によって互いに接続する。この連結部材２６は、芝刈装置側シュータ３の下に草が挟まらないように、前板２５ａの後端位置で引張ばね２５ｂ，２５ｂを跨ぐ位置に配置する。
【００２２】
上記芝刈装置側シュータ３の可動カバー１３は芝刈装置１の高さ位置に応じて車体側シュータ４と嵌合し、また、車体側シュータ４の可動底２１は、底板２５の前板２５ａを芝刈装置側シュータ３の下端に当接してその高さ位置に応じて傾動し、底板２５は可動底２１の傾動範囲で受部２１ｃ、２１ｃに追従して刈草案内装置としての流路を画成する。底板２５は、操作レバー６の開放操作により中折れ状態となり、可動底２１の全長が開放される。
【００２３】
連動部材７は、走行フレームＣ側の底板２５と保持位置が変動する芝刈装置１の掬取部材１４とを連動して開放するためのフレキシブルなガイドワイヤ等による連動手段であり、一端を底板２５の操作レバー６に、他端を掬取部材１４の操作レバー５の支軸５ａに取付けたアーム３１と連結する。ガイドワイヤ７のガイド支持部７ａ、７ｂは、一方を走行フレームＣに、他方をデッキ１ａに取付ける。
【００２４】
連動部材７の伝動系路上には、例えば、透視拡大側面図を示す図４のように、長穴等による融通機構３２ａ、３２ｂを介設する。連動部材７は、その引側動作と対応して掬取部材１４を開放するようにアーム３１の一端のピン３１ａと連結し、このピン３１ａのスライド動作を一定範囲で許容する所定の長穴３２ａにより融通機構を形成する。また、必要により同様の他の長穴３２ｂを一体形成する。
【００２５】
一方の長穴３２ａによる融通機構は、掬取部材１４および底板２５が刈草案内状態の閉止位置にある場合に、芝刈装置１の保持高さの全範囲をスライド動作しうる長さ範囲に及ぶとともに、芝刈装置１の最高保持位置で底板２５の開放動作を伝動しうるスライド終端を備える。この長穴３２ｂを介設した連動機構７により、芝刈装置１の保持高さと対応する可動底２１の傾斜変動に伴って連動部材７が動作してもその連動作用が抑えられる一方、底板２５の開放動作はスライド終端を介して掬取部材１４に伝動されるので、両者が連動して開放動作する。
【００２６】
したがって、上記融通機構は、１本の操作レバー６による簡易な操作によって掬取部材１４および底板２５を連動開放し、草詰まりを解消することができる上に、芝刈装置１の懸装高さに応じて車体側シュータ４の底板２５を変動保持するように構成した場合において、芝刈装置１が最高保持位置にあっても掬取部材１４を芝刈装置側シュータ３の基準の閉止位置に保持することができるので、芝刈装置１の懸装高さに左右されることなく芝刈装置側シュータ３の送出性を確保することができる。
【００２７】
また、他方の長穴３２ｂによる融通機構は、車体側シュータ４の底板２５が閉止位置にある場合に、掬取部材１４の開放動作範囲でスライド動作して連動部材７による伝動をキャンセルする長さ範囲に形成する。この長穴３２ｂにより、掬取部材１４の単独の開放動作が可能となる。
【図面の簡単な説明】
【図１】本発明の刈草案内装置の適用対象となる乗用芝刈機の全体側面図
【図２】刈草案内装置の透視拡大平面図
【図３】刈草案内装置の透視拡大側面図
【図４】連動部材の透視拡大側面図
【符号の説明】
１  芝刈装置
３  芝刈装置側シュータ
４  車体側シュータ
５  操作レバー
５ａ  支軸
６  操作レバー
６ａ  支軸
７  ガイドワイヤ（連動部材）
１３  可動カバー
１４  掬取部材
１５  支軸
１７  中間リンク
２１  可動底
２２  支軸
２５  底板
２７  中間リンク
３１  アーム
３１ａ  ピン
３２ａ，３２ｂ  長穴（融通機構）
Ａ，Ｂ  前後輪
Ｃ  走行フレーム
【図１】
2004329115.tif 000003
【図２】
2004329115.tif 000004
【図３】
2004329115.tif 000005
【図４】
2004329115.tif 000006